(57)【要約】      （修正有）【課題】  ディスクドライブのドア装置を提供すること。【解決手段】  フロントパネルに回動可能に設置されてトレーの出入動作により出入口の上下部を開閉させる第１ドア１１６ａ及び第２ドア１１６ｂと、フロントパネルに備えられたヒンジ軸を中心として相互交差されて回動可能に設置され、その一端部がそれぞれ第１ドア及び第２ドアの両側に接触される第１レバー及び第２レバーと、トレーの両側に備えられるものであって、トレーの移動時に第１レバー及び第２レバーの他端部間を摺動するガイドバーと、を具備して、ガイドバーが第１レバー及び第２レバーの他端部間に挿入されて第１レバー及び第２レバーの他端部を上下に押す時、テコの原理によって第１レバー及び第２レバーの一端部が第１ドア及び第２ドアを相互反対方向に回動させて出入口をオープンさせるドア装置が提供される。【選択図】  図３
2005063642.tif 000002
【特許請求の範囲】
【請求項１】
ディスクが搭載されるトレーが出入できるようにディスクドライブの前面に備えられたフロントパネルの出入口を開閉させるディスクドライブのドア装置において、
前記フロントパネルに回動可能に設置されて前記トレーの出入動作により前記出入口の上下部を開閉させる第１ドア及び第２ドアと、
前記フロントパネルに備えられたヒンジ軸を中心として相互交差され、回動可能に設置され、その一端部がそれぞれ前記第１ドア及び第２ドアの両側に接触される第１レバー及び第２レバーと、
前記トレーの両側に備えられるものであって、前記トレーの移動時に前記第１レバー及び第２レバーの他端部間を摺動するガイドバーと、を具備し、
前記ガイドバーが前記第１レバー及び第２レバーの他端部間に挿入されて前記第１レバー及び第２レバーの他端部を上下に押す時に、テコの原理によって前記第１レバー及び第２レバーの一端部が前記第１ドア及び第２ドアを相互反対方向に回動させて前記出入口をオープンさせることを特徴とするディスクドライブのドア装置。
【請求項２】
前記第１レバー及び第２レバーの他端部にはそれぞれ第１ローラ及び第２ローラが回転可能に設置されて、前記トレーの移動時に前記ガイドバーが前記第１ローラ及び第２ローラ間を摺動することを特徴とする請求項１に記載のディスクドライブのドア装置。
【請求項３】
前記出入口の上下部が閉じられる方向に前記第１ドア及び第２ドアにそれぞれ弾性力を付与する第１弾性部材及び第２弾性部材をさらに具備することを特徴とする請求項１に記載のディスクドライブのドア装置。
【請求項４】
前記第１ドア及び第２ドアの両側面にはそれぞれ前記第１レバー及び第２レバーの一端部と接触する第１突起部及び第２突起部が備えられることを特徴とする請求項１に記載のディスクドライブのドア装置。
【発明の詳細な説明】
【技術分野】
【０００１】
本発明はディスクドライブのドア装置に係り、特にドアを分離型に構成することによって、ドアの偏心問題が改善でき、新しいデザインによる製品の競争力を向上させうる光ディスクプレイヤーのドア開閉装置に関する。
【背景技術】
【０００２】
一般的に、ディスクドライブはＣＤ、ＤＶＤなどのようなディスク形状の媒体に情報を書き込むか、またはこれらに書き込まれた情報を再生する装置をいう。
【０００３】
かかるディスクドライブは、通常、ディスクを搭載するために摺動しながら本体に出入されるトレーを具備しており、本体の前方にはトレーが出入されうる出入口を有したフロントパネルと前記出入口を開閉するためのドア装置とが設置されている。
【０００４】
図１Ａ及び図１Ｂには従来のディスクドライブのドア装置が示されている。
【０００５】
図１Ａ及び図１Ｂを参照すれば、ドア１６は本体１０に出入されるトレー１２の前面部に付着されてトレー１２と一体に動くようになっている。
【０００６】
かかる構造で、トレー１２がローディングされて本体１０内部に入っている時は、図１Ａに示されたようにドア１６は自然にフロントパネル１４の出入口を塞ぐ。そして、図１Ｂに示されたようにディスクを搭載するためにトレー１２が本体１０の外に摺動されれば、ドア１６はトレー１２の摺動と同時にフロントパネル１４の出入口をオープンさせるようになる。
【０００７】
前記のようなディスクドライブのドア装置では、ドア１６がトレー１２に直接付着されているためにトレー１２が偏るようになれば、これによってドア１６も共に偏心される問題がある。また、デザインによってドア１６のサイズが大きくなれば、ディスクの装着時にユーザーの不便をもたらしうる。
【０００８】
図２Ａ及び図２Ｂには、従来の他のディスクドライブのドア装置が示されている。
【０００９】
図２Ａ及び図２Ｂを参照すれば、ディスクドライブのドア装置は本体２０の前方に備えられたフロントパネル２４の出入口を開閉させるドア２６と、前記ドア２６を回動させうるレバー２７とを含む。前記レバー２７は一端部がドア２６の一面に付着されて一体に形成され、前記レバー２７の他端部は前記レバー２７が回動可能にフロントパネル２４に設置される。すなわち、前記レバー２７の他端部には回転軸２８が備えられており、この回転軸２８がフロントパネル２４にヒンジ結合されている。そして、前記回転軸２８には前記ドア２６がフロントパネル２４の出入口を塞ぐ方向に弾性力を加えるバネ（図示せず）が挟まれている。
【００１０】
かかる構造で、トレー２２がローディングされて本体２０内部に入っている時は、図２Ａに示されたようにレバー２７の回転軸２８に挟まれたバネの弾性力によってドア２６はフロントパネル２４の出入口を塞ぐようになる。そして、ディスクを搭載するためにトレー２２が本体２０の外に摺動され始めれば、図２Ｂに示されたようにトレー２２はバネの弾性力より大きい力でドア２６の内側面を押すようになり、これによってフロントパネル２４の出入口はオープンされる。
【００１１】
前記のようなディスクドライブのドア装置では、ドア２６が偏心される問題はないが、高温でドア２６及びトレー２２の撓みによる干渉が発生して、オープン不良が発生しうる問題がある。
【発明の開示】
【発明が解決しようとする課題】
【００１２】
本発明は、前記のような問題点を解決するために案出されたものであって、ドアを分離型に構成することによってドアの偏心問題が改善でき、新しいデザインによる製品の競争力を向上させうるディスクドライブのドア開閉装置を提供することを目的とする。
【課題を解決するための手段】
【００１３】
前記の目的を達成するために、本発明は、ディスクが搭載されるトレーが出入できるようにディスクドライブの前面に備えられたフロントパネルの出入口を開閉させるディスクドライブのドア装置において、前記フロントパネルに回動可能に設置されて前記トレーの出入動作により前記出入口の上下部を開閉させる第１ドア及び第２ドアと、前記フロントパネルに備えられたヒンジ軸を中心として相互交差され、回動可能に設置され、その一端部がそれぞれ前記第１ドア及び第２ドアの両側に接触される第１レバー及び第２レバーと、前記トレーの両側に備えられるものであって、前記トレーの移動時に前記第１レバー及び第２レバーの他端部間を摺動するガイドバーと、を具備し、前記ガイドバーが前記第１レバー及び第２レバーの他端部間に挿入されて前記第１レバー及び第２レバーの他端部を上下に押す時、テコの原理によって前記第１レバー及び第２レバーの一端部が前記第１ドア及び第２ドアを相互反対方向に回動させて前記出入口をオープンさせることを特徴とする。
【００１４】
前記第１レバー及び第２レバーの他端部にはそれぞれ第１ローラ及び第２ローラが回転可能に設置されて、前記トレーの移動時に前記ガイドバーが前記第１ローラ及び第２ローラ間を摺動することが望ましい。
【００１５】
前記出入口の上下部が閉じられる方向に前記第１ドア及び第２ドアにそれぞれ弾性力を付与する第１弾性部材及び第２弾性部材をさらに具備することが望ましい。
【００１６】
そして、前記第１ドア及び第２ドアの両側面にはそれぞれ前記第１レバー及び第２レバーの一端部と接触する第１突起部及び第２突起部が備えられることが望ましい。
【発明の効果】
【００１７】
本発明によるディスクドライブのドア装置によれば、次のような効果がある。
【００１８】
まず、従来問題視されたトレーの偏りによるドアの偏心問題が改善できる。
【００１９】
第２に、フロントパネルの出入口を開閉するドアを分離型に構成することによって新しいデザインのディスクドライブが製作でき、これによって製品の競争力を向上させうる。
【発明を実施するための最良の形態】
【００２０】
以下、図面を参照して本発明による望ましい実施例を詳細に説明する。
【００２１】
図３は、本発明の実施例によるドア装置を具備したディスクドライブの前面を一部示した図である。
【００２２】
図３を参照すれば、ディスクドライブの前面にはフロントパネル１１４が備えられており、このフロントパネル１１４にはディスクが搭載されるトレーが出入できるように出入口が形成されている。
【００２３】
そして、前記フロントパネル１１４の出入口は第１ドア１１６ａと第２ドア１１６ｂとにより開閉される。ここで、前記第１ドア１１６ａは前記出入口の上部を開閉し、前記第２ドア１１６ｂは前記出入口の下部を開閉する。
【００２４】
図４及び図５は、ドアが閉じられた状態での、本発明によるディスクドライブのドア装置を示した図であり、図６及び図７は、ドアが開けられた状態での、本発明によるディスクドライブのドア装置を示した図である。一方、図面では便宜上、ドアの一側に備えられたドア装置だけ示されているが、ドアの他側にもかかるドア装置が備えられている。
【００２５】
本発明によるディスクドライブのドア装置はフロントパネル１１４に回動可能に設置されてトレー１１２の出入動作によりフロントパネル１１４の出入口を上下部に分離して開閉させる第１ドア１１６ａ及び第２ドア１１６ｂ、ヒンジ軸１５０を中心として相互交差されるように設置される第１レバー１２０ａ及び第２レバー１２０ｂ、そして、トレー１１２の両側に備えられるガイドバー１６０を具備する。
【００２６】
前記第１ドア１１６ａはフロントパネル１１４の内壁上部に第１回転軸１１７ａを中心として回動可能に設置され、前記第２ドア１１６ｂはフロントパネル１１４の内壁下部に第２回転軸１１７ｂを中心として回動可能に設置される。
【００２７】
そして、前記第１及び第２回転軸１１７ａ、１１７ｂにはそれぞれ第１及び第２トーションバネ１３０ａ、１３０ｂが挟まれている。かかる第１及び第２トーションバネ１３０ａ、１３０ｂはフロントパネル１１４の出入口が閉じられる方向に前記第１及び第２ドア１１６ａ、１１６ｂに弾性力を付与する弾性部材である。第１トーションバネ１３０ａの両端はフロントパネル１１４の内壁と第１ドア１１６ａの両側面に備えられた第１突起部１１８ａとに支持され、第２トーションバネ１３０ｂの両端はフロントパネル１１４の内壁と第２ドア１１６ｂの両側面に備えられた第２突起部１１８ｂとに支持される。
【００２８】
前記第１レバー１２０ａ及び第２レバー１２０ｂはフロントパネル１１４の側壁に備えられたヒンジ軸１５０を中心として相互交差されるように設置される。このように設置された第１レバー１２０ａ及び第２レバー１２０ｂは前記ヒンジ軸１５０を中心として回動可能になっている。
【００２９】
そして、前記第１レバー１２０ａの一端部は第１ドア１１６ａの両側面に備えられた第１突起部１１８ａと接触されており、前記第２レバー１２０ｂの一端部は第２ドア１１６ｂの両側面に備えられた第２突起部１１８ｂと接触されている。
【００３０】
また、前記第１レバー１２０ａの他端部には第１ローラ１２２ａが回転可能に設置されており、前記第２レバー１２０ｂの他端部には第２ローラ１２２ｂが回転可能に設置されている。
【００３１】
トレー１１２の両側にはトレー１１２が移動する時に前記第１ローラ１２２ａと第２ローラ１２２ｂ間を摺動するガイドバー１６０が備えられる。
【００３２】
前記のような構造で、トレー１１２がローディングされてディスクドライブの本体内部に入った状態では、図４及び図５に示されたようにトレー１１２の側面に備えられたガイドバー１６０が第１レバー１２０ａ及び第２レバー１２０ｂの他端部に設置された第１ローラ１２２ａ及び第２ローラ１２２ｂから離れている。この状態では、第１回転軸１１７ａ及び第２回転軸１１７ｂにそれぞれ備えられた第１トーションバネ１３０ａと第２トーションバネ１３０ｂとが前記第１ドア１１６ａ及び第２ドア１１６ｂに弾性復原力を加えるようになり、これによってフロントパネル１１４の出入口は閉じられた状態を維持する。
【００３３】
次に、トレー１１２がアンローディングされてフロントパネル１１４方向に動き始めれば、前記トレー１１２の両側に備えられたガイドバー１６０は第１レバー１２０ａ及び第２レバー１２０ｂの他端部（近位端）にそれぞれ設置された第１ローラ１２２ａ及び第２ローラ１２２ｂと当接するようになる。そして、前記トレー１１２が移動し続けて前記ガイドバー１６０が前記第１ローラ１２２ａと第２ローラ１２２ｂ間に挿入され始めれば、前記第１ローラ１２２ａと第２ローラ１２２ｂとは回転すると同時に上下に押される。これによって、第１レバー１２０ａ及び第２レバー１２０ｂの他端部は相互反対方向に回動して間隔が拡がる。この過程で、テコの原理によって前記第１レバー１２０ａ及び第２レバー１２０ｂの一端部（遠位端）も相互反対方向に回動して間隔が拡がる。この時、前記第１レバー１２０ａ及び第２レバー１２０ｂの一端部は前記第１ドア１１６ａ及び第２ドア１１６ｂの両側面にそれぞれ備えられた第１突起部１１８ａ及び第２突起部１１８ｂと接触しているので、前記第１レバー１２０ａ及び第２レバー１２０ｂの一端部間の間隔が拡がれば、前記第１ドア１１６ａ及び第２ドア１１６ｂは相互反対方向に回動されて、これによってフロントパネル１１４ａの出入口はオープンされる。次いで、トレー１１２が移動し続ければ、図６及び図７に示されたようにガイドバー１６０は第１ローラ１２２ａ及び第２ローラ１２２ｂ間を摺動するようになり、これと同時にトレー１１２はフロントパネル１１４の出入口から出てくる。
【００３４】
一方、第１及び第２ドア１１６ａ、１１６ｂが開けられた状態でトレー１１２がローディングされ始めれば、ガイドバー１６０は第１ローラ１２２ａと第２ローラ１２２ｂ間を摺動しながらディスクドライブの本体内部に入っていく。次いで、前記ガイドバー１６０が摺動し続けて第１ローラ１２２ａと第２ローラ１２２ｂとを外れれば、第１トーションバネ１３０ａと第２トーションバネ１３０ｂとがそれぞれ第１ドア１１６ａと第２ドア１１６ｂとに弾性復原力を加えるようになり、これによってフロントパネル１１４の出入口は閉じられる。
【００３５】
以上、本発明による望ましい実施例が説明されたが、これは例示的なものに過ぎず、当分野で当業者であれば、これより多様な変形及び均等な他の実施例が可能である点が理解できる。したがって、本発明の真の技術的保護範囲は特許請求の範囲により定められねばならない。
【産業上の利用可能性】
【００３６】
本発明は、ディスク形状の媒体に情報を書き込むかまたはこれらに書き込まれた情報を再生する装置であるディスクドライブに適用可能である。
【図面の簡単な説明】
【００３７】
【図１Ａ】従来のディスクドライブのドア装置を示した断面図である。
【図１Ｂ】従来のディスクドライブのドア装置を示した断面図である。
【図２Ａ】従来の他のディスクドライブのドア装置を示した断面図である。
【図２Ｂ】従来の他のディスクドライブのドア装置を示した断面図である。
【図３】本発明の実施形態によるディスクドライブの前面を一部を示した図である。
【図４】ドアが閉じられた状態での、本発明の実施形態によるディスクドライブのドア装置を示した図である。
【図５】ドアが閉じられた状態での、本発明の実施形態によるディスクドライブのドア装置を示した図である。
【図６】ドアが開けられた状態での、本発明の実施形態によるディスクドライブのドア装置を示した図面である。
【図７】ドアが開けられた状態での、本発明の実施形態によるディスクドライブのドア装置を示した図である。
【符号の説明】
【００３８】
１１２    トレー
１１４    フロントパネル
１１６ａ  第１ドア
１１６ｂ  第２ドア
１１７ａ  第１回転軸
１１７ｂ  第２回転軸
１１８ａ  第１突起部
１１８ｂ  第２突起部
１２０ａ  第１レバー
１２０ｂ  第２レバー
１２２ａ  第１ローラ
１２２ｂ  第２ローラ
１３０ａ  第１トーションバネ
１３０ｂ  第２トーションバネ
１５０    ヒンジ軸
１６０    ガイドバー
【図１Ａ】
2005063642.tif 000003
【図１Ｂ】
2005063642.tif 000004
【図２Ａ】
2005063642.tif 000005
【図２Ｂ】
2005063642.tif 000006
【図３】
2005063642.tif 000007
【図４】
2005063642.tif 000008
【図５】
2005063642.tif 000009
【図６】
2005063642.tif 000010
【図７】
2005063642.tif 000011